Podtech/llm-jp-corpus-v4-ja_patent huggingface dataset:
(57)【要約】【課題】飲食時に老眼の人が、老眼鏡を使用して食事をしなければ、食品がよく見えず困る事が多い。しかし老眼鏡を使用したままであると、今度はテーブルの相手の顔や、テレビなどが見えず、その都度老眼鏡をかけたり外したりして大変不自由である。特に、飲食店等で老眼鏡をかけていないと、メニュー表の、小さな文字や、価格、又、箸やフォークで取り上げた食品が、ぼやけてよく見えなかったので、絶えず老眼鏡を持って行く必要性があった。そこで、老眼の人が、老眼鏡を使用せず、食事時に食品や、メニュー表の小さな文字や、小さな数字等を、コップを通して裸眼で大きく見る事が出来る本発明の凸レンズ付きコップを提供する。【解決手段】コップの側面上部に、少なくとも一つ以上の、凸レンズになった部分を設ける。【選択図】図２
2015054233.tif 000002
【特許請求の範囲】
【請求項１】
コップの側面上部に、少なくとも一つ以上の凸レンズになった部分を設けた事を特徴とするコップ。
【発明の詳細な説明】
【技術分野】
【０００１】この発明は、食事時に、老眼鏡無しで食品や、メニューを見る事が出来る、コップに関する物である。
【背景技術】
【０００２】従来、コップには、レンズ部分の無いのが一般的であった。
【先行技術文献】
【特許文献】
【０００３】
【特許文献１】実用新案登録第３０９８４６０５号公報
【発明の概要】
【発明が解決しようとする課題】
【０００４】老眼の人が、老眼鏡を使用せずに食事をする際、従来のコップでは、次の様な不自由な問題点があった。
（イ）必ず老眼鏡をかけて食事をしなければ、食品がよく見えず、老眼鏡を絶えず持ち歩く必要性があった。
（ロ）飲食店等で、メニュー表を見る際に文字や価格が確認出来ず大変困っていた。
（ハ）箸や、フォークで取り上げた食材が、ぼやけてよく見えなかった。
【課題を解決するための手段】
【０００５】食事時に使用するコップの外側面上部に、凸レンズを設けた。
【発明の効果】
【０００６】コップ越しに見ると、老眼鏡を使用しなくても、食品やメニューがよく見る事が出来るので、飲食店に行く時などでも、老眼鏡を絶えず持ち歩かなくてもよくなった。
【図面の簡単な説明】
【０００７】
【図１】本発明の凸レンズ付きコップの斜視図である。
【図２】同実施形態の縦断面図である。
【図３】同実施形態の使用図である。
【発明を実施するための形態】
【０００８】  以下、本発明の実施の形態を説明する。
コップ（１）の側面上部（２）に老眼用の凸レンズ部（３）を設ける。
本発明を使用するときは、食事時に、老眼鏡を使用しなくては確認出来無かった小さな文字や数字を、同実施形態のコップ（１）の上部側面に設けた凸レンズ状になった部分（２）にて、図３の様にメニュー（４）等を宛がい、コップの斜め上方向内側より見る事によって、裸眼でも小さな文字や、数字や食品が大きく見え、たいへん便利である。
【符号の説明】
【０００９】１．本発明の凸レンズ付きコップ
２．コップの側面上部
３．老眼用の凸レンズ部分
４．メニュー
【図１】
2015054233.tif 000003
【図２】
2015054233.tif 000004
【図３】
2015054233.tif 000005
(57)【要約】【課題】  ガーデニング用として使われるまくら木は鉄道に使用された枕木の再利用商品としてエクステリアの部材として広く愛用されてきた。近年需要と供給のバランスがくずれ、鉄道枕木の価格高騰により、より安価でアンティークとしての意匠性を確保した同種部材が望まれる。【解決手段】  比較的低価な木材によるまくら木と同一意匠性を持たせた木材として、インサイジング加工を施し、表面を古い色調、形状に加工したアンティーク調木材を提供する。【選択図】図１
2015054518.tif 000002
【特許請求の範囲】
【請求項１】
インサイジング加工を施した角木材の、少なくとも一つの表面にブラシ研削加工による浮出された木目を際立させ、また各表面に傷を部分的に加工したことを特徴とするアンティーク調木材。
【請求項２】
請求項１において更に各表面を黒または茶色に塗装し、両木口に割れ防止のリングを打ち込むことを特徴とした請求項１のアンティーク調木材。
【発明の詳細な説明】
【技術分野】
【０００１】  本発明は、一般にエクステリア用品として使われ、枕木とも呼ばれるアンティーク調木材に関するものである。
【背景技術】
【０００２】  現状エクステリアにおいては、そのガーデニングデザインを高めるために、本来の役目を果たした中古の枕木を、そのアンティーク感が好まれて、玄関へのアプローチや、花壇、駐車場、家周りに使用されるようになっている。その中古の枕木も加工方法、特に防腐処理の点から一部の国で使われた枕木が好まれ、ごく一部の国からの輸入枕木が需要にこたえていた。こういった状況の中、需要と供給の量的バランスがくずれ、エクステリアに使用する本来の枕木が少なくなり、価格の高騰を招くようになった。【０００３】  このエクステリア用枕木の需要を補うため、一般の木材を使用する例としてカラマツ材に防腐加工をしての木製板状構造物や木酢液に浸潤させ燻煙乾燥させた枕木などが技術開示、提案されている。（特許文献１及び特許文献２）
しかしこれらの加工木材は木材としての防腐、防蟻効果に重点を置き、エクステリアとして最も大事な古材としての風合いというデザイン性を軽視していた。
【先行技術文献】
【特許文献１】
【０００４】
【特許文献１】  実用新案登録第３１０３０６４号公報
【特許文献２】  実用新案登録第３０９９３１０号公報
【発明の概要】
【発明が解決しようとする課題】
【０００５】    本発明は、以上のような状況を踏まえ、本来の枕木に代わるエクステリア用木材として、鉄道枕木が持っているアンティーク調の造形美ある低価格木材を提供する事を目的としている。
【課題を解決するための手段】
【０００６】  上記目的を達成するために、本発明は、インサイジング加工を施した角木材の少なくとも一つの表面にブラシ研削加工による浮出された木目を際立させ、また各表面に傷を自然な形で人為的に加工したことでアンティーク調木材を構成している。（請求項１）
また、それに加え、各表面を黒または茶色に塗装し、両木口に割れ防止のリングを打ち込むことで更に特徴あるアンティーク調木材としている。（請求項２）
【発明の効果】
【０００７】  以上の説明から明らかなように、本発明にあたっては次に列挙する効果が得られる。先ずこの木材は、インサイジング加工を施していることにより、エクステリア用品として最低限必要な防腐、防蟻等の対腐朽性を確保する。また、本木材の最も特徴的なブラシ研削による木目の浮造り、表面への傷加工によりアンティーク調風合いを得ることができる。
さらに、表面を黒や茶などの濃い色で塗装することにより古材としての雰囲気を醸し出し、両木口に割れ防止のリングを打ち込むことで経年劣化を防ぐ効果を有する。【０００８】  上述したように、本発明のアンティーク調木材は本来の鉄道再利用枕木の供給補間に十分満足するものである。
【図面の簡単な説明】
【０００９】
【図１】本発明の全体外観図
【図２】本発明の写真外観図
【発明を実施するための形態】
【００１０】  以下、本発明の実施の形態を図にもとづいて説明する。
【実施例】
【００１１】  図１に本発明の全体外観図を示す。木材１の材料は杉を使用している。他には松、桧などが考えられるが、目的である低価格枕木の需要を満たすためも杉が最適であるといえる。
本実施例はガーデニングにおける敷板を想定しているため７０ｍｍ×２００ｍｍの断面形状をしている。もちろんエクステリア枕木としては正方形断面から長方形断面まで用途に応じ適用されるものである。
木目２は表面にブラシ研削加工によって浮出された凸模様であり、黒色に着色塗装仕上げと相まって古材の雰囲気を醸し出し、更にランダムな位置に付けられた傷３の加工により、枕木としての風格が漂ってくる。
また、本実施例ではランダムな傷の大きさとして、各表面に幅２０ｍｍ以内、長さ３０ｍｍ以内、深さ２０ｍｍ以内の傷を部分的に加工した。これらの傷の大きさは本来の古材枕木の持つ実際の大きさに合わせたものである。【００１２】  図２は、上述の実施例を写真で表しており、立方体の稜線にあたる１２カ所は不規則な面取りを施して更なる古材感覚をだしている。
【産業上の利用可能性】
【００１６】  以上述べたように、本発明は、低価格で元来の鉄道枕木に匹敵する意匠性を持ち、かつ防腐加工による経年劣化に耐える実用的なエクステリア材料として広く社会に浸透し、貢献するものと期待される。
【符号の説明】
【００１７】１  木材
２  木目
３  傷加工
【図１】
2015054518.tif 000003
【図２】
2015054518.tif 000004
(57)【要約】【課題】音楽活動等において、楽譜に書き込みのため鉛筆を使用後、鉛筆を置く場所が無く、譜面台に置いたとしても、不安定であり、演奏中に楽譜をめくった際に落下してしまうことがある。オーケストラの練習の際、限られた時間で指揮者等の指示を素早く楽譜に書きこまなければならないが、鉛筆を置くための適切な場所が無いため、素早く鉛筆を取ることができない。本考案は、音楽家が頻繁に使用する鉛筆を効率よく使用することを課題とする。【解決手段】譜面台に鉛筆を接着させるため、鉛筆に磁石２を設けた土台１を装着する。土台１は柔らかく耐久性の高いエラストマー素材である。鉛筆に磁石２を設けた土台１を装着した状態で、磁石２と譜面台との接している面積が少なくとも接着でき、鉛筆キャップや鉛筆用消しゴム等を別途装着することができる。【選択図】図１
2015054517.tif 000002
【特許請求の範囲】
【請求項１】
土台１は、エラストマー素材もしくはゴムやシリコン素材の多角柱型であり、中央に鉛筆を挿入できる穴が設けられ、土台１の１側面または全側面に磁石２が接着、もしくは土台内部の１側面または全側面に内包により設けられ、一体形状となっていることを特徴とする鉛筆用マグネット。
【発明の詳細な説明】
【技術分野】
【０００１】  この発明は、鉛筆に用いるグリップを加工し、磁石を設けた形状に関する。
【背景技術】
【０００２】従来の鉛筆用グリップの形状は、図３に示すように、柔らかい素材に、鉛筆を通すための穴が設けられたものである。
【先行技術文献】
【特許文献】
【０００３】
【特許文献１】実登３０６２７６２号公報
【発明の概要】
【発明が解決しようとする課題】
【０００４】  しかしながら、以上の技術によれば、音楽家が楽譜などに鉛筆を用いて記入する場合、使用後に鉛筆を置く場所が無く、譜面台に置く場合、鉛筆が落ちやすく、物音を発生させ、鉛筆の芯を折りやすい。
そこで、この発明は、譜面台に鉛筆を磁石で接着できる鉛筆用の磁石を提供することを課題とする。
【課題を解決するための手段】
【０００５】  以上の課題を解決するために、第一発明は、柔軟性を持つエラストマー素材の鉛筆用グリップを必要最小限のサイズに加工し、鉛筆から脱着可能なことを特徴とする磁石の土台である。
また、第二発明は、鉛筆用グリップの材質エラストマー素材に強力な磁石を設け、譜面台や鉄製品に接着可能なことを特徴とする鉛筆用マグネットである。
【発明の効果】
【０００６】  第一発明、または第二発明によれば、鉛筆を譜面台に接着出来るため、楽譜付近に鉛筆のための場所を取らず、素早く鉛筆を使用でき、鉛筆が譜面台から落下することも無い。
【図面の簡単な説明】
【０００７】
【図１】この発明の一実施形態を示す斜視図である。
【図２】この発明の使用状態を示す参考図である。
【図３】従来技術を示す斜視図である。
【発明を実施するための形態】
【０００８】  この発明の一実施形態を、図１に示す。
土台１は、多角柱型であり、土台１の中央には鉛筆を挿入できる穴が設けられている。この土台１の１側面もしくは全側面に、磁石２が設けられている。土台１はエラストマー素材もしくはゴムやシリコン等の素材が好ましい。磁石２は、土台１の側面に接着剤により接着されている。または、土台内部の１側面もしくは全側面に内包され、一体形状となっている。
【０００９】「実施形態の効果」
この実施形態によれば、土台１が柔らかいエラストマー素材なので、耐久性が高く、様々な鉛筆に脱着しやすく、形状を変えられるため鉛筆サイズのボールペン等にも用いることができる。
土台１に設けられた磁石２により、鉛筆を譜面台に接着することができ、土台１と磁石２は共に軽量なため、磁石２との接着面積が少なくても接着できる。また、冷蔵庫用の鉛筆など、日常生活においても用いることができる。
「他の実施形態」
図１の実施形態では、磁石２は四角型であるが、他の実施形態では、磁石は丸型のものでも良い。
【符号の説明】
【００１０】１  土台            ２  磁石
【図１】
2015054517.tif 000003
【図２】
2015054517.tif 000004
【図３】
2015054517.tif 000005
(57)【要約】【課題】駐車支援システムにおいて、駐車動作時に、車外の人間でも撮影された映像を簡単に確認することにある。【解決手段】車両側装置（３）は、車両後方を撮影する撮像部（５）と、撮像部（５）が撮影した映像を表示する車両側表示部（７）と、無線通信（９）によって撮像部（５）が撮影した映像を送信する送信部（１０）とを備える。携帯端末（４）は、無線通信（９）によって撮像部（５）が撮影した映像を受信する受信部（１１）と、受信部（１１）により受信された映像を表示する携帯端末側表示部（１３）とを備える。車両側表示部（７）と携帯端末側表示部（１３）とは、同時に同一の映像を表示する。【選択図】図１
2015054530.tif 000002
【特許請求の範囲】
【請求項１】
車両の駐車動作を支援する駐車支援システムであって、車両側装置と携帯端末とから構成され、前記車両側装置は、車両後方を撮影する撮像部と、前記撮像部が撮影した映像を表示する車両側表示部と、無線通信によって前記撮像部が撮影した映像を送信する送信部とを備え、前記携帯端末は、前記無線通信によって前記撮像部が撮影した映像を受信する受信部と、前記受信部により受信された映像を表示する携帯端末側表示部とを備え、前記車両側表示部と前記携帯端末側表示部とは、同時に同一の映像を表示することを特徴とする駐車支援システム。
【発明の詳細な説明】
【技術分野】
【０００１】
この発明は、駐車支援システムに係り、特に車両駐車時に運転者に適切な誘導や助言を与える運転支援システムに関する。
【背景技術】
【０００２】
車両には、駐車動作時に、車両の駐車動作を支援して、車両を目標駐車位置へ駐車させる駐車支援システムを搭載したものがある。この駐車支援システムは、運転者の死角を提示するために、車両に取り付けられて車両後方を撮影する撮像部（カメラ）を備えている。
このような駐車支援システムとしては、以下の先行技術文献がある。
【先行技術文献】
【特許文献】
【０００３】
【特許文献１】特開２００６−９６１８９号公報
【０００４】
特許文献１に係る駐車支援装置は、運転手からの所定の操作を受けたときに、車両を目視可能な程度の所定範囲内に位置する携帯端末を指定し、この指定された携帯端末によってリアルタイムに撮像されたカメラの画像を受信して、この受信したカメラの画像を車内に設けられたディスプレイに表示させるものである。
【発明の概要】
【発明が解決しようとする課題】
【０００５】
ところで、従来、車両の進路を誘導する人間が車外に出て補助する等の状況が予想されるが、車外からでは映像を確認できないため、車外の障害物に運転手が気付いているかどうかや、障害物が撮像部（カメラ）に映っているのかどうかが、車外の人間にはわからず、運転者へ適切な誘導・助言ができず、手遅れになる可能性があり、改善が望まれていた。
【０００６】
そこで、この発明は、駐車動作時に、車外の人間でも撮影された映像を簡単に確認することができる駐車支援システムを提供することを目的とする。
【課題を解決するための手段】
【０００７】
この発明は、車両の駐車動作を支援する駐車支援システムであって、車両側装置と携帯端末とから構成され、前記車両側装置は、車両後方を撮影する撮像部と、前記撮像部が撮影した映像を表示する車両側表示部と、無線通信によって前記撮像部が撮影した映像を送信する送信部とを備え、前記携帯端末は、前記無線通信によって前記撮像部が撮影した映像を受信する受信部と、前記受信部により受信された映像を表示する携帯端末側表示部とを備え、前記車両側表示部と前記携帯端末側表示部とは、同時に同一の映像を表示することを特徴とする。
【発明の効果】
【０００８】
この発明は、駐車動作時に、車外の人間でも撮影された映像を簡単に確認することができる。
【図面の簡単な説明】
【０００９】
【図１】図１は駐車支援システムの構成図である。（実施例）
【図２】図２は駐車支援のフローチャートである。（実施例）
【発明を実施するための形態】
【００１０】
この発明は、駐車動作時に、車外の人間でも撮影された映像を簡単に確認する目的を、車両側表示部と携帯端末側表示部とで同時に同一の映像を表示させて実現するものである。
【実施例】
【００１１】
図１、図２は、この発明の実施例を示すものである。
図１に示すように、駐車支援システム１は、車両２の駐車動作を支援するものであって、車両２に搭載された車両側装置３と、車両外の携帯端末４とから構成される。
車両側装置３は、車両後方を撮影する撮像部（カメラ）５と、車両側制御部６と、撮像部５が撮影した映像を表示する車両側表示部７と、車両側制御部６に情報の入力・出力を行う入出力部８と、無線通信９によって撮像部５が撮影した映像を送信する送信部１０とを備える。
携帯端末４は、無線通信９によって撮像部５が撮影した映像を受信する受信部１１と、携帯端末側制御部１２と、受信部１１により受信された映像を表示する携帯端末側表示部１３とを備える。
そして、駐車支援システム１において、車両側表示部７と携帯端末側表示部１３とは、同時に同一の映像を表示する。この場合、車両側制御部６には、例えば、予め登録された専用の携帯端末４の情報が入出力部８から入力されている。
【００１２】
次に、この実施例に係る駐車支援制御について、図２のフローチャートに沿って説明する。
図２に示すように、駐車支援システム１のプログラムが開始すると（ステップＡ０１）、先ず、車両側装置３の撮像部５により映像を撮影する（ステップＡ０２）。この撮影された映像は、車両側表示部７に表示される。
そして、携帯端末４の情報が車両側制御部６に登録されているか否かを判断する（ステップＡ０３）。
このステップＡ０３がＹＥＳの場合には、前記撮影された映像の信号をその登録されている携帯端末４に対して無線通信９によって送信し、前記撮影された映像を、車両側表示部７に加えて、携帯端末４の携帯端末側表示部１３にも表示させる（ステップＡ０４）。
一方、このステップＡ０３がＮＯの場合には、前記撮影された映像を、車両側表示部７にのみ表示させる（ステップＡ０５）。
前記ステップＡ０４の処理後、又は前記ステップＡ０５の処理後は、プログラムを終了する（ステップＡ０６）。
【００１３】
この結果、この実施例によれば、車両側表示部７と携帯端末側表示部１３とは、同時に同一の映像を表示するため、車外の人間は、携帯端末４を介して、車内に表示されている車両側表示部７の映像を確認することができ、駐車動作時に、運転者の死角となる箇所について適切な誘導や助言を車両２の運転者に与えることができる。
【００１４】
なお、この発明では、専用の携帯端末を使用して通信を行う構成であるが、一般的な携帯端末（動画を通信できるものに限る）に受信用のプログラムをインストールすることで、一般的な携帯端末を代用品として使用することも可能である。
【産業上の利用可能性】
【００１５】
この発明の駐車支援システムは、各種車両に適用可能である。
【符号の説明】
【００１６】
１  駐車支援システム
２  車両
３  車両側装置
４  携帯端末
５  撮像部
６  車両側制御部
７  車両側表示部
８  入出力部
９  無線信号
１０  送信部
１１  受信部
１２  携帯端末側制御部
１３  携帯端末側表示部
【図１】
2015054530.tif 000003
【図２】
2015054530.tif 000004
(57)【要約】      （修正有）【課題】植物脂肪酸とレシチンを用いた、環境に優れた新しい多機能活性コロイド状洗浄剤組成物およびその低コスト製造方法を提供する。【解決手段】大豆脂肪酸３５〜４５重量部、レシチン３〜５重量部、１．３−ブチレングリコール３〜５重量部、精製水４５〜５９重量部を混合し、急速正逆回転せん断撹拌機で数分撹拌する。この段階で殆ど完全にせん断撹拌され、乳化されコロイド状の混合物が出来る。コロイド状の混合物に酸化を防ぐα−トコフェロール３〜５重量部と鹸化剤として苛性カリ５〜１０重量部を入れて、急速正逆回転せん断撹拌機で数分撹拌し完全なコロイド状多機能植物洗浄剤を得る。【選択図】なし【特許請求の範囲】
【請求項１】
大豆油、コーン油、菜種油、オリーブ油、米油、ごま油、べに花油、ひまわり油、綿実油、パイン油、グレープシードオイルなどの植物脂肪酸や松の実油やナッツ油の植物脂肪酸のうち１つ以上とレシチン、１．３−ブチレングリコール、苛性カリ、精製水を混合した多機能活性水溶性植物コロイド状洗浄剤組成物。
【請求項２】
植物脂肪酸の分子をレシチンなどで切る場合に使用する撹拌機を急速正回転と急速逆回転の繰り返しにより容器内の回転方向を維持しようとして発生する「せん断力」で短時間にしかも分子切断残しの無いように切断撹拌し、高い効率の製造が出来るだけでなく、切断羽根を使用しないため清掃など簡便に出来る高効率製造と製造時間短縮し使用溶剤の種類と量の低減によるより天然性を上げた低コストの請求項１の組成物についての製造方法。
【発明の詳細な説明】
【技術分野】
【０００１】本発明は、環境に優れた新しい多機能活性コロイド状脂肪酸洗浄剤とその製法に関するものである。
【背景技術】
【０００２】環境と人の健康・美容に優れた多機能活性化コロイド脂肪酸洗浄剤は、従来その製法は、植物脂肪酸にレシチンを混合し羽根の切断力を利用して分子の切断を行うので、長時間のせん断撹拌が必要であり、また充分な撹拌が出来ないため水との混合が不足となり多種類の乳化剤を多量に使用する必要が有り、しかも分子の切断残りが有り全ての分子が有効に使用出来なかった。
【発明の開示】
【発明が解決しようとする課題】
【０００３】  本発明は、かかる問題を解決するためのもので、その目的は、皮膚を始め各種の有機物や無機物の表面に付着した汚れを容易に除去し、浸透、保湿、乳化、分散、洗浄、分解、消臭、除菌などの複合的な機能を有する洗浄剤を低価格で効率の良い製造方法で提供することにある。
【産業上の利用分野】
【０００４】本発明は、今や石油系合成界面活性剤による河川や海洋の汚染は、どんどん進んでおり、それらに代わる食用洗浄剤で、植物脂肪酸分子を切ることにより、洗浄力、除菌力、消臭力、静電気防止力、抗カビ力などを有し、１週間以内に９９．９％生分解する新しい環境洗浄剤が、工業分野から医療、美容分野まで幅広く応用されつつある。
【背景技術】
【０００５】しかし、それらの製法は、羽根を利用したせん断撹拌機で４．０００回転前後の回転数で長時間せん断撹拌し、その後必要な組成分を混合してブラウン運動が可能なナノサイズまで５，０００回転の羽根のせん断撹拌機で長時間かけて撹拌し、ナノ粒子まで微細化すると言う製法であるため、
１、製造時間が長くかかる
２、全てが完全に切断出来ず、切断効率が悪く、活性化力が低い。
３、水との混合力が低いため、多種の乳化剤や溶剤が多く必要とする。
４、従って、製造価格が高く、製品価格も高価格なものになる。
上記の項目を解決すれば、短時間に高効率で高品質な製造が出来、コストも低く抑えることが出来る。
【発明が解決しようとする課題】
【０００６】従って本発明が解決しようとする課題は、従来の上記要望に応えることである。すなわち、短時間に高効率なせん断撹拌を行えるせん断撹拌方法により撹拌能力を上げ、したがって、可能な限り混合溶剤の種類と使用量を削減でき製造コストの低減とせん断撹拌能力を大きく上げて分子の切断残りを少なくして性能を上げることなど全ての製品コスト要因を低く抑えて市場に提供することにある。
【課題を解決するための手段】
【０００７】この課題は、そのせん断撹拌技術のせん断力を向上させ、切断残りを無くし、また最小限の乳化剤の添加かもしくは無添加で製造出来ることが重要である。同時に撹拌時間を大幅に短縮出来れば、全体の製造時間を大きく短縮でき製造コストを大幅に下げることが出来る。
【０００８】そのためには、撹拌機の急速正逆回転による慣性力と遠心力によるせん断力が容器内壁周辺に発生し、その後対流によりせん断残りが無いようにせん断撹拌出来る技術を活用し短時間に殆ど完全にせん断撹拌することが判った。
【０００９】このせん断撹拌機は、撹拌棒も撹拌羽根も不要のため、撹拌機内が完全な中空になるため清掃も短時間に出来る。
【００１０】また、水を混合して完全なせん断撹拌が出来れば、水との混合のための乳化剤など溶剤の使用量が少量で済むか、もしくは不要となる可能性もある。
【発明の作用】
【００１１】
2015054966.tif 000002
▲１▼．植物脂肪酸とレシチンを混合し
▲２▼．せん断撹拌機で植物脂肪酸の分子を切り
▲３▼．水と乳化剤とＰＨ調整材を混合し
▲４▼．せん断撹拌機でナノサイズまでせん断撹拌する。
【００１２】植物脂肪酸は、コーン油脂肪酸、キャノーラ油脂肪酸、大豆油脂肪酸、オリーブ油脂肪酸、べに花油脂肪酸、パイン油脂肪酸、グレープシードオイル脂肪酸などの植物脂肪酸や松の実油脂肪酸やナッツ油脂肪酸などあらゆる脂肪酸等も例示出来る。
【００１３】レシチンは、卵卵黄レシチンおよび大豆レシチン、ピーナツや酵母レシチンである。
【００１４】せん断撹拌機は、急速正回転と急速逆回転を行い内容物を慣性力と遠心力によりせん断する、撹拌棒や撹拌羽根の無い株式会社Ｑミックスの撹拌機やその他の正逆回転反応を利用出来るせん断撹拌機を使用する。
【００１５】水はイオン交換樹脂を使用した精製水や蒸留水であり、
【００１６】乳化剤はプロピレングリコールや１．３−ブチレングリコールなどであるが、安全性の高い１．３−ブチレングリコールが適している。
【００１７】ＰＨ調整剤と鹸化剤は、苛性カリや苛性ソーダー、が例示出来る。
【００１８】
2015054966.tif 000003
自然運動が
洗浄を行うため、漬け置き洗浄が可能となる。
【実施例】
【００１９】
2015054966.tif 000004
撹拌機で数分間撹拌する。この段階で殆ど完全にせん断撹拌され、乳化されコロイド状の混合物が出来る。【００２０】コロイド状の混合物に、酸化を防ぐα―トコフェロール１０重量部と鹸化剤として苛性カリ１０重量部を入れて急速正逆回転せん断撹拌機で数分間撹拌し完全なコロイド状多機能植物洗浄剤を得る。【００２１】効能試験（コロイド洗浄剤４．５倍希釈液）
2015054966.tif 000005
(57)【要約】【課題】嫌気性チャンバーからの水素の漏れをより確実に検知する。【解決手段】嫌気培養装置１００は、可撓性部材によって構成され内部空間ＩＳを外部空間ＯＳから仕切る嫌気性チャンバー１０と、内部空間ＩＳに配置された触媒２０が水素と酸素との反応を促進させることによって内部空間ＩＳにおける酸素の濃度が低下するように、内部空間ＩＳに水素を供給する環境制御部３０と、内部空間ＩＳから外部空間ＯＳへの水素の漏れを内部空間ＩＳの圧力の低下による嫌気性チャンバー１０の変形に基づいて検知する検知部７０と、検知部７０による水素の漏れの検知に応じて警報を発する警報部８０とを備える。【選択図】図１
2015015904.tif 000002
【特許請求の範囲】
【請求項１】
可撓性部材によって構成され内部空間を外部空間から仕切る嫌気性チャンバーと、
前記内部空間に配置された触媒が水素と酸素との反応を促進させることによって前記内部空間における酸素の濃度が低下するように、前記内部空間に水素を供給する環境制御部と、
前記内部空間から前記外部空間への水素の漏れを前記内部空間の圧力の低下による前記嫌気性チャンバーの変形に基づいて検知する検知部と、
前記検知部による水素の漏れの検知に応じて警報を発する警報部と、
を備えることを特徴とする嫌気培養装置。
【請求項２】
前記検知部は、前記嫌気性チャンバーの天井部の高さの変化を計測するように構成されている、
ことを特徴とする請求項１に記載の嫌気培養装置。
【請求項３】
前記検知部は、超音波を用いて距離を計測する超音波センサを含む、
ことを特徴とする請求項１又は２に記載の嫌気培養装置。
【発明の詳細な説明】
【技術分野】
【０００１】
本発明は、嫌気培養装置に関する。
【背景技術】
【０００２】
微生物などを嫌気環境で培養するための嫌気培養装置がある。嫌気培養装置の１つとして、内部空間を外部空間から仕切る嫌気性チャンバーと、内部空間に水素を供給するユニットとを備えるものがある。内部空間には、触媒が配置されていて、この触媒が水素と酸素との反応を促進させることによって内部空間における酸素の濃度が低下する。
【先行技術文献】
【特許文献】
【０００３】
【特許文献１】特開２００６−２１７８０６号
【特許文献２】特開２００６−１４９２３２号
【発明の概要】
【発明が解決しようとする課題】
【０００４】
上記のような嫌気培養装置において、嫌気性チャンバーが破損し、内部空間から外部空間に水素が漏れ続けると、危険である。そこで、嫌気培養装置が配置された部屋に水素センサを配置して、これによって水素を検知することが考えられる。しかしながら、例えば、当該部屋に空気の流れがあると、嫌気性チャンバーからの水素の漏れを確実に検知することが難しい。
【０００５】
本発明は、嫌気性チャンバーからの水素の漏れをより確実に検知することを目的とする。
【課題を解決するための手段】
【０００６】
本発明は、嫌気培養装置に係り、前記嫌気培養装置は、可撓性部材によって構成され内部空間を外部空間から仕切る嫌気性チャンバーと、前記内部空間に配置された触媒が水素と酸素との反応を促進させることによって前記内部空間における酸素の濃度が低下するように、前記内部空間に水素を供給する環境制御部と、前記内部空間から前記外部空間への水素の漏れを前記内部空間の圧力の低下による前記嫌気性チャンバーの変形に基づいて検知する検知部と、前記検知部による水素の漏れの検知に応じて警報を発する警報部と、を備える。
【発明の効果】
【０００７】
本発明によれば、嫌気性チャンバーからの水素の漏れをより確実に検知する。
【図面の簡単な説明】
【０００８】
【図１】本発明の１つの実施形態の嫌気培養装置の構成を模式的に示す図。
【図２】本発明の１つの実施形態の嫌気培養装置において水素が漏れている状態を模式的に示す図。
【発明を実施するための形態】
【０００９】
以下、添付図面を参照しながら本発明をその例示的な実施形態の嫌気培養装置１００を通して説明する。
【００１０】
嫌気培養装置１００は、嫌気性チャンバー１０と、環境制御部３０と、検知部７０と、警報部８０とを備えている。嫌気性チャンバー１０は、可撓性部材によって構成され、内部空間ＩＳを外部空間ＯＳから仕切る。可撓性部材は、例えば、塩化ビニールで形成されうる。内部空間ＩＳには、水素と酸素との反応を促進させるための触媒２０が配置される。触媒２０は、例えば、内部空間ＩＳに配置された棚６０に置かれうる。
【００１１】
環境制御部３０は、内部空間ＩＳに配置された触媒２０が水素と酸素との反応を促進させることによって内部空間ＩＳにおける酸素の濃度が低下するように、内部空間ＩＳに水素を供給する。一例において、環境制御部３０は、まず、内部空間ＩＳの空気を窒素ガスで置換し、その後に、触媒２０の作用により内部空間ＩＳにおける酸素の濃度が低下するように、内部空間ＩＳに水素を供給する。
【００１２】
嫌気性チャンバー１０が損傷を受けると、嫌気性チャンバー１０から水素が漏れうる。典型的な例としては、嫌気性チャンバー１０には操作用のグローブが設けられていて、そのグローブの先端等が摩耗等によって薄くなって、そこに穴が開きうる。このような穴を通して比較的多くの水素が内部空間ＩＳから外部空間ＯＳに漏れる可能性がある。
【００１３】
検知部７０は、内部空間ＩＳから外部空間ＯＳへの水素の漏れを内部空間ＩＳの圧力の低下による嫌気性チャンバー１０の変形に基づいて検知する。より具体的には、検知部７０は、例えば、嫌気性チャンバー１０の天井部１２の高さの変化を計測するように構成されうる。内部空間ＩＳから外部空間ＯＳに水素が漏れると内部空間ＩＳの圧力が低下し、これによって、図２に例示されているように、嫌気性チャンバー１０の天井部１２の高さが下がりうる。よって、検知部７０は、嫌気性チャンバー１０の天井部１２の高さの変化を計測することによって、内部空間ＩＳから外部空間ＯＳへの水素の漏れを検知することができる。検知部７０は、例えば、嫌気性チャンバー１０の天井部１２の高さが予め設定された閾値を下回ったときに内部空間ＩＳから外部空間ＯＳへの水素の漏れがあったと判断するように構成されうる。
【００１４】
検知部７０は、例えば、嫌気性チャンバー１０の周囲に設けられたフレーム５０の上部に取り付けられうる。検知部７０は、例えば、超音波を用いて距離を計測する超音波センサを含みうる。
【００１５】
警報部８０は、検知部７０による水素の漏れの検知に応じて警報を発する。警報は、例えば、音および／または光によってなされうる。あるいは、警報は、他の装置への警報情報の送信であってもよい。
【符号の説明】
【００１６】
１００  嫌気培養装置
１０  嫌気性チャンバー
１２  天井部
２０  触媒
３０  環境制御部
５０  フレーム
６０  棚
７０  検知部
８０  警報部
ＩＳ  内部空間
ＯＳ  外部空間
【図１】
2015015904.tif 000003
【図２】
2015015904.tif 000004
(57)【要約】      （修正有）【課題】電気自動車が走行中に電池が切れた状態にならいように、発電装置を取り付けた荷車を提供する。【解決手段】牽引した荷車１に、タイヤ２を４本と、上記タイヤ２の軸に発電機３を４台を取り付ける。荷車１の下に、タイヤ２と発電機３を設け、充電器と電池を、荷車１の上に設ける。電気配線を電気自動車に接続する構成とする。発電機３が４台取り付けてあるので、発電量が大きくなり短時間で電池に多くの電気を充電でき、使用するときには、電気自動車に荷車１を牽引して走る。【選択図】図１
2015027242.tif 000002
【特許請求の範囲】
【請求項１】
荷車（１）にタイヤ（２）と発電機（３）を下に設け充電器（４）と電池（５）を上に設ける。それから、電気配線を電気自動車に接続する。それらを設けた牽引による発電装置である。
【発明の詳細な説明】
【技術分野】
【０００１】  この発明は、牽引した荷車にタイヤ４本を取り付けて、そのタイヤの軸に発電機４個を取り付け、充電器と小さい電池を組み合わせたものに関するものである。
【背景技術】
【０００２】  従来、電気自動車の電池はかなり大きな物を取り付けていた。
【先行技術文献】
【特許文献】
【０００３】
【特許文献１】
【発明の概要】
【発明が解決しようとする課題】
【０００４】  これは次のような欠点があった。
従来の電気自動車は、電池が大きい為、値段が高く、充電時間も長すぎる。
本発明は、以上のような欠点を無くすためになされたものである。
【課題を解決するための手段】
【０００５】  荷車（１）にタイヤ（２）と発電機（３）を下に設け、充電器（４）と電池（５）を上に設ける。
それから電気配線を電気自動車に接続する。本発明は、以上の構成よりなる牽引による荷車の発電装置である。
【発明の効果】
【０００６】  タイヤの軸に発電機が４台取り付けてあるので、発電量が大きくなり短時間で電池に多くの電気を充電でき、電池を小さく作ることによって値段も安く、モーターへの電気の供給が充分に足りて電気自動車の走行距離が長くなる。
【図面の簡単な説明】
【０００７】
【図１】  本発明の底面図である。
【図２】  本発明の正面図である。
【図３】  本発明の右側面図である。
【図４】  本発明の平面図である。
【発明を実施する為の形態】
【０００８】  以下、本発明を実施する為の形態について説明する。
荷車（１）にタイヤ（２）と発電機（３）を下に取り付け、充電器（４）と電池（５）を上に固定する。それから電気の配線を電気自動車に接続する。
本発明は、以上のような構造である。
これを使用するときは、電気自動車に荷車を牽引して走り続ければよい。
【符号の説明】
【０００９】  １  荷車
２  タイヤ
３  発電機
４  充電器
５  電池
【図１】
2015027242.tif 000003
【図２】
2015027242.tif 000004
【図３】
2015027242.tif 000005
【図４】
2015027242.tif 000006
(57)【要約】      （修正有）【課題】男性が座って小便をする場合に、前方に尿が飛び散ることを防止し、掃除の手間を省けるおしっこストッパーを提供する。【解決手段】洋式トイレの便器の内側のアーチに沿う形で、少し曲がった形状のおしっこストッパー１を、粘着面２により、便座の裏面３に取り付けることにより、便器と便座の間の１センチ位の隙間を塞ぎ、前方へ飛び散る尿を便器内におとす。【選択図】図１
2015027527.tif 000002
【特許請求の範囲】
【請求項１】
洋式トイレの便座の裏面に取り付ける装置で、便器と便座の隙間から、前方に飛び散る尿を便器内におとす装置。
【発明の詳細な説明】
【技術分野】
【０００１】この発明は、洋式トイレの便座に取り付ける部品に関するものである。
【背景技術】
【０００２】従来の洋式トイレは、便器と便座の間に隙間がある。
【発明の概要】
【発明が解決しようとする課題】
【０００３】従来、洋式トイレの便器と便座の間には、１センチ位の隙間があり、その隙間から尿が前方に飛び散ることがある。
【課題を解決するための手段】
【０００４】洋式トイレの便座の裏面に、この装置を取り付ける。
【発明の効果】
【０００５】便器と便座の隙間がなくなったため、尿が前方に飛び散ることがなくなり、トイレが清潔に使用でき掃除の手間が省ける。
【図面の簡単な説明】
【０００６】
【図１】  本発明の斜視図である。
【図２】  本発明を便座に取り付けた図である。
【発明を実施するための形態】
【０００７】以下、本発明を実施するための形態について説明する。
洋式トイレの、便器の内側のアーチに沿うかたちで少し曲がった形状をし、便座の裏面（３）に張り付けることができるよう、上部が粘着面（２）になっている。
2015027527.tif 000003
【手続補正書】
【提出日】平成26年10月16日(2014.10.16)
【手続補正１】
【補正対象書類名】図面
【補正対象項目名】全図
【補正方法】変更
【補正の内容】
【図１】
2015027527.tif 000004
【図２】
2015027527.tif 000005
【手続補正２】
【補正対象書類名】特許請求の範囲
【補正対象項目名】全文
【補正方法】変更
【補正の内容】
【特許請求の範囲】
【請求項１】
洋式トイレの便座の裏面に取り付ける装置で、粘着面が貼りつく事により固定できるようになっており、形状は便器の内側のアーチに沿う形で、内側の面に傾斜がある尿漏れ防止装置
(57)【要約】【課題】ワークを圧入する際に、ワークにストレス無く圧入することで、圧入後の組立精度も確保する。【解決手段】芯ずれの補正時に、ワークが抵抗なく移動ができて、芯が容易に合わさるような機構を設けて、芯が合ってから圧入が開始された後に、再度芯ずれが発生しないように、上側ワークと下側ワークを同期動作をさせ、かつ最終圧入の荷重は平面で受ける構造とすることで、確実な圧入をすることができる。【選択図】図１
2015027704.tif 000002
【特許請求の範囲】
【請求項１】
下側ワークが水平方向に自在に可動するこで、上側ワークとの芯ずれ補正、圧入時のワークの傾きを無くし、圧入による組立精度の悪化を防ぎ、さらにワークへのストレスを低減させる圧入方式。
【請求項２】
ボールローラーに上下機構を設け、圧入モータと上下モータを同期運転することで、圧入による組立精度の悪化を防ぎ、さらにワークへのストレスを低減させる圧入方式。
【発明の詳細な説明】
【技術分野】
【０００１】
本発明は、圧入時のワークの傾きを無くし、ワークへのストレスを低減させ、圧入組立の高精度を確保するための圧入装置に関するものである。
【背景技術】
【０００２】
従来の圧入方式では、下側ワークは平面上に設置され、上側ワークとの芯ずれ補正時には、摩擦抵抗の影響でスムーズな移動が難しく、圧入後の組立精度に影響を与える。
【０００３】
加工基準を設けて、上側ワークと下側ワークの芯合わせを実施した場合においても加工誤差を無くすことは不可能であり、圧入時のワークへのストレスが懸念される。
【発明の概要】
【発明が解決しようとする課題】
【０００４】
圧入時は固定保持された上側ワークを下降させて、それに合わせて下側ワークが移動して、芯ずれ補正が行われるが、摩擦抵抗によって下側ワークがスムーズに移動できずに傾いてしまう。
【０００５】
加工基準を設けた場合においても、完全な芯合わせは不可能であり、圧入時にワークにストレスを与えてしまう。
【課題を解決するための手段】
【０００６】
本発明は、下側ワークをを水平方向にボールローラーの上に配置することで、固定保持された上側ワークとの芯ずれを補正する際に、摩擦抵抗の影響を受ける事無く水平方向に移動する。
【０００７】
ボールローラーに上下移動機構を設け、圧入ヘッド下降動作とボールローラーの下降動作を同期させることで、芯ずれ補正後の再度のずれの発生を防ぎ、圧入時の最大荷重はベースで受けることで、完全な圧入ができる。
【発明の効果】
【０００８】
本発明の装置で圧入した場合は、圧入時のワークの傾きがなくなり、ワークにストレスなく圧入ができ、圧入後の組立精度も確保できる。
【図面の簡単な説明】
【０００９】
【図１】は本件での圧入装置の構成を示した説明図である。
【発明を実施するための形態】
【００１０】
以下、本発明による圧入方法を図面を基に説明する。
図１に示すように、圧入ヘッド３に上側ワーク４を固定保持する。
【００１１】
下側ワーク５をボールローラー７の上にセットする。この時、自在移動可能ボールはベース６の上面よりも出ていて、下側ワーク５は水平方向の自在移動が可能な状態となっている。
【００１２】
圧入モータ２で上側ワークを下降させていき、下側ワーク５はボールローラー７の上面を水平移動をして芯ずれを補正していく。
【００１３】
上側ワーク４と下側ワーク５が入り込んだところで、再度芯ずれがおきないように圧入モータ２とボールローラー下降モータ８を同期動作させる。
【００１４】
圧入の最大荷重は、ボールローラー７がベース６上面より下降した時点で、ベース６が受ける。
【符号の説明】
【００１５】
１ 圧入装置
２ 圧入モータ
３ 圧入ヘッド
４ 上側ワーク
５ 下側ワーク
６ ベース
７ ボールローラー
８ ボールローラー上下モータ
【図１】
2015027704.tif 000003
(57)【要約】【課題】画面が小さく見づらいという欠点を解消するノートパソコンを提供する。【解決手段】ノートパソコンの本体一体型モニターを撤廃し、外部出力機能を用いて画面をデスクトップパソコン用のモニターや家庭用大型テレビなどの汎用モニターに出力することで画面が小さく見づらいという欠点を解消し、携帯性に優れ、容易に移設可能なノートパソコンでありながら、デスクトップパソコンの様に使用できるノートパソコンを実現した。【選択図】図２
2015001976.tif 000002
【特許請求の範囲】
【請求項１】
本体にＣＰＵや、キーボード、ポインティングデバイスを備えるが、本体一体型又は脱着可能の専用モニターを備えず、外部出力機能を用いてデスクトップパソコン用のモニターや大型テレビ等の汎用モニターに画面を外部出力して使用することを特徴とするノートパソコン。
【発明の詳細な説明】
【技術分野】
【０００１】  この発明は、専用のモニターを備えず、汎用品の外部モニターを使用するノートパソコンに関するものである。
【背景技術】
【０００２】  モニターなどの表示画面、キーボードやポインティングデバイス等の入力装置、バッテリー等がコンピューターと一体であるノートパソコンは、携帯性や運搬性を重視し、ユーザーが任意の場所に持ち運んで使用することを前提として設計されたコンピューターである。当初、ノートパソコンはデスクトップパソコンと比して性能が劣り、その上販売価格が高かったが、近年、電子部品の高性能、高密度化や部品実装技術の向上によりデスクトップパソコンと遜色がないまでに性能が向上し、加えて販売価格も下がったことから、広く普及するようになった。【０００３】  しかし、現在普及しているノートパソコンは本体とモニターが一体のものしかなく、これまでに、本体とモニターが分離可能なノートパソコンが発明、考案されているが、専用のモニターを備えず、画面表示を外部のモニターに依存するノートパソコンは存在しなかった。
【先行技術文献】
【特許文献】
【０００４】
【特許文献１】特許公開２００３−１８６５７４号公報
【特許文献２】登録実用新案第３１３７０６８号公報
【発明の概要】
【発明が解決しようとする課題】
【０００５】  ノートパソコンは、携帯性を重視するという構造上、どうしても一体型のモニターが小型となり、画面が小さく見づらいという欠点がある。近年、デスクトップパソコン用のモニターは大型化、高解像度化が進んでいるため、ノートパソコンは、モニターの見やすさという点において、デスクトップパソコンに大きく劣るという課題がある。【０００６】  モニターが小さく見づらいという欠点を補うために、ノートパソコンの中には従来よりも大型のモニターを採用する機種が登場したが、これはノートパソコン本体の大型化を招き、携帯性、運搬性の良さというノートパソコン本来の利便性を損なうという課題がある。【０００７】  ノートパソコンには外部モニターに出力する機能が備わっているものが多く、この機能を利用し、外部モニターに画面を出力することで、モニターが小さく見づらいという欠点を補うことは可能であった。しかし、従来のノートパソコンは、本体とモニターが一体であるために、その一体型のモニターが邪魔となり、ノートパソコン本体を外部モニターの前に設置することが出来ず、不便であるという問題点があった。【０００８】  上記特許文献１、特許文献２のように本体とモニターを分離させれば、ノートパソコン本体を外部モニターの前に設置することは可能であった。しかし、本体とモニターが分離する構造の機体は、分離可能な専用のモニターが必要であるし、更に本体側にもモニターを脱着させる装置が必要であるから、通常のノートパソコンに比して製造コストが上がり、高価になるという問題点があった。
【課題を解決するための手段】
【０００９】  上記課題を解決するために、本体一体側モニターを備えず、本体に備えたＤ−ｓｕｂ、ＨＤＭＩ等の外部出力機能を用いて、画面を汎用品の外部モニターに表示するようにノートパソコンを形成した。【００１０】  本発明のノートパソコンは、デスクトップパソコン用の高解像度のモニターや大型テレビ等に画面を表示させて使用するので、モニターが小さく見づらいという従来のノートパソコンの欠点を劇的に改善することが出来る。また、ユーザーは数ある製品の中から、自分の使用用途に合ったモニターを選択して購入できるという利点がある。【００１１】  ノートパソコン本体を、モニターの大きさに囚われることなく自由な大きさに設計することができる。モニターの大きさに囚われずに本体の小型化が可能であるので、携帯性、運搬性の良さというノートパソコンの利便性を追求できるという利点がある。【００１２】  ノートパソコン本体をデスクトップパソコン用のモニターの前に設置することが可能となる。これにより、ノートパソコンをデスクトップパソコンの様に使用することが可能となり、モニター周りがすっきりするという利点がある。また、小型であるから別の外部モニターで使用しようとした場合に、容易に移設することが可能なのでとても便利である。【００１３】  専用のモニターを必要としないので、大幅に製造コストを下げることができる。これにより、従来のモニター一体型や、モニター分離式のノートパソコンと比して安価に製造することが可能である。また、モニターがないぶんだけパソコンの本体の小型化、軽量化が可能であるし、電力消費量の大きいモニターがないことでバッテリー持続時間も向上するという利点がある。
【図面の簡単な説明】
【００１４】
【図１】本発明の説明図である。
【図２】本発明の使用状態を示した説明図である。
【発明を実現するための形態】
【００１５】  図１は本発明の説明図であり、図に示したようにノートパソコン本体１は専用のモニターを備えず、フラットですっきりとした形状である。専用モニターを備えないが、それ以外は従来のノートパソコンと違いはなく、本体内部にＣＰＵ、メモリー、ＨＤＤ等を内蔵し、本体上部にはキーボード２やポインティングデバイス３を備える。
【００１６】  図２は本発明の使用状態を示した説明図であり、図に示したようにノートパソコン本体１は、Ｄ−ｓｕｂケーブル、ＨＤＭＩケーブル等の接続ケーブル４等を用いた外部出力機能で汎用モニター５と接続する。ノートパソコンはキーボードとポインティングデバイスを備えているので、外部モニターと接続するだけで画面が大きく見やすいモニターで快適にパソコンを使用することが可能となる。また、ノートパソコンは小型で携帯性に優れているので、必要な時に簡単に別の外部モニターに移設可能であるからとても便利である。
【符号の説明】
【００１７】  １  ノートパソコン本体
２  キーボード
３  ポインティングデバイス
４  接続ケーブル
５  汎用モニター
【図１】
2015001976.tif 000003
【図２】
2015001976.tif 000004